(57)【要約】【課題】内容物に対する非吸着性を向上させるとともに開封時の利便性に優れる包装袋を提供する。【解決手段】積層フィルム６０を重ねて周縁を熱接着部１４により熱接着して前面部と背面部とを対向して形成される収納部１５内に内容物２０を収納する包装袋１０において、熱接着性樹脂層６３は内容物２０に対して非吸着性を有し、前面部１５ａの熱接着性樹脂層６３に第１開封用切れ目１１を設けるとともに背面部１５ｂの熱接着性樹脂層６３に第１開封用切れ目１１に沿って配される第２開封用切れ目１２を設けた。【選択図】図１
2015096426.tif 000002
【特許請求の範囲】
【請求項１】
少なくとも基材層とバリア層と熱接着性樹脂層とを順次積層して構成される積層フィルムを重ねて周縁を熱接着部により熱接着し、前面部と背面部とを対向して形成される収納部内に内容物を収納する包装袋において、前記熱接着性樹脂層は内容物の成分に対して非吸着性を有し、前記前面部の前記熱接着性樹脂層に第１開封用切れ目を設けるとともに前記背面部の前記熱接着性樹脂層に第１開封用切れ目に沿って配される第２開封用切れ目を設けたことを特徴とする包装袋。
【請求項２】
前記熱接着性樹脂層が薬効成分に対して非吸着性を有することを特徴と知る請求項１に記載の包装袋。
【請求項３】
前記熱接着性樹脂層がポリアクリルニトリル、ポリエチレンテレフタレート、環状ポリオレフィンのいずれかから成ることを特徴とする請求項１又は請求項２に記載の包装袋。
【請求項４】
第１開封用切れ目及び第２開封用切れ目の一端はそれぞれ前記熱接着部に向かって広がるように分岐する分岐部を有するとともに前記熱接着部の外縁に開封時の始端を形成する開封開始部を設け、前記開封開始部を前記分岐部に対向して配したことを特徴とする請求項１〜請求項３のいずれかに記載の包装袋。
【請求項５】
前記熱接着部から前記分岐部を含む所定の第１領域で第１開封用切れ目と第２開封用切れ目とが重なることを特徴とする請求項４に記載の包装袋。
【請求項６】
第１領域に連続する第２領域で第１開封用切れ目と第２開封用切れ目とが重ならないことを特徴とする請求項５に記載の包装袋。
【請求項７】
第１開封用切れ目と第２開封用切れ目とが重ならない領域を設けたことを特徴とする請求項１〜請求項４のいずれかに記載の包装袋。
【請求項８】
第１開封用切れ目及び第２開封用切れ目が凹凸の位置が異なる波状に形成されたことを特徴とする請求項７に記載の包装袋。
【請求項９】
第１開封用切れ目及び第２開封用切れ目が曲線状の屈曲部を介して略直交する２方向に延びる縦延設部と横延設部とを連接して形成されるとともに前記屈曲部における曲率が第１開封用切れ目と第２開封用切れ目とで異なることを特徴とする請求項４〜請求項８のいずれかに記載の包装袋。
【請求項１０】
前記屈曲部の線幅が前記縦延設部及び前記横延設部の線幅より大きいことを特徴とする請求項９に記載の包装袋。
【発明の詳細な説明】
【技術分野】
【０００１】
本発明は内容物に対して非吸着性を有する包装袋に関する。
【背景技術】
【０００２】
従来の包装袋が特許文献１に開示されている。この包装袋は最内層にポリエチレン等の熱接着性樹脂層が配された積層フィルムを重ねて周縁を熱接着部により熱接着して形成される収納部内に経皮吸収剤等の内容物を収納する。また、包装袋の基材層にはミシン目状の開封用切れ目が設けられている。これにより、開封用切れ目に沿って包装袋を引裂いて包装袋を開口させ、内容物の取り出しを容易に行うことができる。
【先行技術文献】
【特許文献】
【０００３】
【特許文献１】特許第５０３７１８１号
【発明の概要】
【発明が解決しようとする課題】
【０００４】
しかしながら、上記従来の包装袋によると、熱接着性樹脂層として用いられるポリエチレン等は経皮吸収剤の薬効成分等に対する吸着性が高い。このため、包装袋から取り出された内容物の所望の成分が減少する問題がある。
【０００５】
この問題を解決するために、熱接着性樹脂層として薬効成分に対して非吸着性に優れるポリアクリルニトリル等を用いると、熱接着性樹脂層の柔軟性が低下する。このため、基材層に設けた開封用切れ目に沿って包装袋を開封とすると、熱接着性樹脂層の引裂き方向が基材層の開封用切れ目に追従せず、開封用切れ目に沿って包装袋を開封し難いことがある。従って、包装袋の開封時の利便性が低下する問題があった。
【０００６】
本発明は上記問題点に鑑み、内容物に対する吸着を防止するとともに開封時の利便性に優れる包装袋を提供することを目的とする。
【課題を解決するための手段】
【０００７】
上記目的を達成するために本発明は、少なくとも基材層とバリア層と熱接着性樹脂層とを順次積層して構成される積層フィルムを重ねて周縁を熱接着部により熱接着し、前面部と背面部とを対向して形成される収納部内に内容物を収納する包装袋において、前記熱接着性樹脂層は内容物の成分に対して非吸着性を有し、前記前面部の前記熱接着性樹脂層に第１開封用切れ目を設けるとともに前記背面部の前記熱接着性樹脂層に第１開封用切れ目に沿って配される第２開封用切れ目を設けたことを特徴としている。
【０００８】
また本発明は、上記構成の包装袋において、前記熱接着性樹脂層が薬効成分に対して非吸着性を有することを特徴としている。
【０００９】
また本発明は、上記構成の包装袋において、前記熱接着性樹脂層がポリアクリルニトリル、ポリエチレンテレフタレート、環状ポリオレフィンのいずれかから成ることを特徴としている。
【００１０】
また本発明は、上記構成の包装袋において、第１開封用切れ目及び第２開封用切れ目の一端はそれぞれ前記熱接着部に向かって広がるように分岐する分岐部を有するとともに前記熱接着部の外縁に開封時の始端を形成する開封開始部を設け、前記開封開始部を前記分岐部に対向して配したことを特徴としている。
【００１１】
また本発明は、上記構成の包装袋において、前記熱接着部から前記分岐部を含む所定の第１領域で第１開封用切れ目と第２開封用切れ目とが重なることを特徴としている。
【００１２】
また本発明は、上記構成の包装袋において、第１領域に連続する第２領域で第１開封用切れ目と第２開封用切れ目とが重ならないことを特徴としている。
【００１３】
また本発明は、上記構成の包装袋において、第１開封用切れ目と第２開封用切れ目とが重ならない領域を設けたことを特徴としている。
【００１４】
また本発明は、上記構成の包装袋において、第１開封用切れ目及び第２開封用切れ目が凹凸の位置が異なる波状に形成されたことを特徴としている。
【００１５】
また本発明は、上記構成の包装袋において、第１開封用切れ目及び第２開封用切れ目が曲線状の屈曲部を介して略直交する２方向に延びる縦延設部と横延設部とを連接して形成されるとともに前記屈曲部における曲率が第１開封用切れ目と第２開封用切れ目とで異なることを特徴としている。
【００１６】
また本発明は、上記構成の包装袋において、前記屈曲部の線幅が前記縦延設部及び前記横延設部の線幅より大きいことを特徴としている。
【発明の効果】
【００１７】
本発明によると、内容物に対して非吸着性に優れる熱接着性樹脂層を用いた場合であっても熱接着性樹脂層に第１、第２開封用切れ目を設けることにより、包装袋が第１、第２開封用切れ目に沿って容易に引裂かれる。これにより、開封時の利便性が向上する。
【図面の簡単な説明】
【００１８】
【図１】本発明の第１実施形態に係る包装袋の平面図
【図２】図１中のＤ−Ｄ断面図
【図３】図１中のＨ部を拡大して示す平面図
【図４】本発明の第２実施形態に係る包装袋の平面図
【発明を実施するための形態】
【００１９】
［第１実施形態］
以下に本発明の第１実施形態を図面を参照して説明する。図１は包装袋１０の平面図であり、図２は図１中のＤ−Ｄ断面図である。包装袋１０は咳止めテープ等の薬剤を含むシート状内容物を収納する袋である。また、包装袋１０は基材層６１とバリア層６２と熱接着性樹脂層６３を含む積層フィルム６０で構成される。
【００２０】
包装袋１０は四角形状に予め断裁された積層フィルム６０を二枚用意して最内層の熱接着性樹脂層６３を対向させた後、内容物２０を挟持した状態で周縁を熱接着部１４により熱接着して形成される。これにより、包装袋１０内に前面部１５ａと背面部１５ｂとが対向して内容物２０を密封する収納部１５が形成される。
【００２１】
このとき、収納部１５を構成する前面部１５ａと背面部１５ｂの熱接着樹脂層６３には夫々第１、第２開封用切れ目１１、１２が設けられている。
【００２２】
包装袋１０を構成する積層フィルム６０は、最外層である基材層６１と中間層であるバリア層６２と最内層である熱接着性樹脂層６３とを順次積層して構成される。各層は接着層（不図示）を介して接着している。なお、基材層６１の裏面に印刷層を設けてもよい。
【００２３】
基材層６１は包装袋１０に高い密封性、耐突き刺し（耐ピンホール）性等を付与するものであり、易引裂き性を有する。具体的には、ナイロン、非晶性ポリエステル（Ａ−ＰＥＴ）、ポリエチレンテレフタレート、ポリエチレンナフタレート等の公知の樹脂を任意に選択することができる。また、これらの樹脂から選ばれた１種ないし２種以上を積層して基材層６１を形成してもよい。
【００２４】
バリア層６２は、例えば、外部から収納部１５の内部に水蒸気や酸素が浸入することを防止して収納部１５に収納される内容物２０の劣化を防止することができる。バリア層６２としては、例えば、エチレン−ビニルアルコール共重合体、金属（アルミニウム、ニッケル等）、無機化合物（酸化珪素、アルミナ、シリカ等）を蒸着したフィルムなどが挙げられる。
【００２５】
熱接着性樹脂層６３は熱接着性を有するとともに内容物２０の成分の化学物質に対して非吸着性を有する樹脂で構成される。熱接着性樹脂層６３としては、ポリアクリルニトリル、ポリエチレンテレフタレート、環状ポリオレフィンを使用することができる。また、内容物２０の成分としては経皮吸収剤の薬効成分、芳香剤の香り成分等が挙げられる。また、ポリアクリルニトリルは薬効成分、香成分、揮発性成分に対して優れた非吸着性を有するので望ましい。なお、これらの樹脂から選ばれた１種ないし２種以上を積層して熱接着性樹脂層６３を形成してもよい。
【００２６】
接着層（不図示）はドライラミネート用接着剤、溶融押出しされたポリオレフィン系樹脂等が用いられる。ただし、接着層６５は包装袋１０の引裂き性が低下するのを防止するため、バリア層６２と熱接着性樹脂層６３との接着強度が２Ｎ／１５ｍｍ以上になる樹脂を用いることが好ましい。
【００２７】
第１、第２開封用切れ目１１、１２は熱接着性樹脂層６３を厚み方向に所定深さで切断した切込み６３ａ（図２参照）により形成される。切込み６３ａは炭酸ガスレーザを用いて形成される。なお、図において第１、第２開封用切れ目１１、１２は破線で示されるが、連続した線状に延びて形成される。
【００２８】
第１、第２開封用切れ目１１、１２はＸ方向に延びる横延設部１１ａ、１２ａとＹ方向に延びる縦延設部１１ｃ、１２ｃを有する。横延設部１１ａ、１２ａと縦延設部１１ｃ、１２ｃは略直交して延びている。また、横延設部１１ａ、１２ａと縦延設部１１ｃ、１２ｃとは曲線状の屈曲部１１ｂ、１２ｂを介して夫々連接されている。
【００２９】
また、第１開封用切れ目１１と第２開封用切れ目１２とは重ならないようにずらして形成されており、屈曲部１１ｂと屈曲部１２ｂとで曲率が異なる。これにより、包装袋１０の開封後、収納部１５の開封口は前面部１５ａと背面部１５ｂとで段差が生じる。このため、使用者は開封口の一方を手指で摘持し易くなり、内容物２０を容易に取り出すことができる。なお、第１開封用切れ目１１と第２開封用切れ目１２とのずれは１ｍｍ程度が好ましい。また、屈曲部１１ｂと屈曲部１２ｂとが異なる曲率であれば、横延設部１１ａと横延設部１２ａとが重なってもよく、縦延設部１１ｃと縦延設部１２ｃとが重なってもよい。
【００３０】
また、屈曲部１１ｂ、１２ｂの切込み６３ａは横延設部１１ａ、１２ａ及び縦延設部１１ｃ、１２ｃと比較して線幅が大きく形成されている。これにより、屈曲部１１ｂ、１２ｂは横延設部１１ａ、１２ａ及び縦延設部１１ｃ、１２ｃと比較して易引裂き性が大きくなる。したがって、屈曲部１１ｂ、１２ｂにおいてＸ方向からＹ方向へ円滑に引裂き方向を変えることができる。これにより、横延設部１１ａ、１２ｂの開封の勢いでＸ方向のみに包装袋１０が開封されるのを防止することができる。
【００３１】
図３は図１のＨ部を拡大して示す平面図である。第１開封用切れ目１１及び第２開封用切れ目１２の一端はそれぞれ熱接着部１４に向かって広がるように分岐する分岐部１１ｄ、１２ｄを有する。また、分岐部１１ｄ、１２ｄに対向して熱接着部１４の外縁に開封開始部１３が設けられている。開封開始部１３は開封時の始端を形成し、Ｉ字状、Ｖ字状又はＵ字状のノッチから成る。
【００３２】
また、熱接着部１４の内縁から所定距離の第１領域Ａにおいて分岐部１１ｄ、１２ｄは重なって形成されるとともに横延設部１１ａ、１２ａの端部も分岐部１１ｄ、１２ｄから連続して重なっている。また、第１領域Ａに連続した第２領域Ｂにおいて横延設部１１ａと横延設部１２ａとは重ならないように形成されている。
【００３３】
熱接着部１４において熱接着性樹脂層６３に設けられた切込み６３ａは熱接着時に溶融して消失する。このため、開封開始部１３を起点にしてＸ方向に開封した後、開封開始部１３と横延設部１１ａ、１２ａの間で引裂き方向がＹ方向に逸れる可能性がある。しかし、熱接着部１４においてＹ方向に引裂き方向が逸れた場合でも熱接着部１４に向かって広がる分岐部１１ｄ、１２ｄに合流する。このため、分岐部１１ｄ、１２ｄを通って横延設部１１ａ、１２ａが確実に引裂かれる。なお、第１領域Ａにおいて横延設部１１ａ、１２ａの端部が分岐部１１ｄ、１２ｄから連続して重なる。このため、第１領域Ａから第２領域Ｂに掛けて横延設部１１ａ、１２ａを円滑に分岐しながら引裂くことができる。
【００３４】
次に、包装袋１０の開封方法について説明する。使用者は開封開始部１３を起点にして横方向（Ｘ方向）に包装袋１０を引裂く。これにより、熱接着部１４を通って収納部１５に向かって包装袋１０が引裂かれ、分岐部１１ｄ、１２ｄに到達する。次に、分岐部１１ｄ、１２ｄから横延設部１１ａ、１２ａを通り、屈曲部１１ｂ、１２ｂから縦延設部１１ｃ、１１ｄに向かって包装袋１０が引裂かれる。これにより、包装袋１０は一度の開封動作でＸ方向からＹ方向に跨る大きな開封口を形成することができ、開封時の利便性が向上する
【００３５】
本実施形態によると、収納部１５の前面部の熱接着性樹脂層６３に第１開封用切れ目１１を設け、収納部１５の背面部の熱接着性樹脂層６３に第１開封用切れ目１１に沿って配される第２開封用切れ目１２を設けたことにより、内容物２０の成分に対して非吸着性を有した柔軟性の低い熱接着性樹脂層６３であっても第１開封用切れ目１１及び第２開封用切れ目１２に沿って包装袋１０を容易に引裂くことができる。これにより、包装袋１０の開封時の利便性が向上する。
【００３６】
また、第１開封用切れ目１１及び第２開封用切れ目１２の一端はそれぞれ熱接着部１４に向かって広がるように分岐する分岐部１１ｄ、１２ｄを有し、開封開始部１３を分岐部１１ｄ、１２ｄに対向して配した。これにより、開封開始部１３を起点にしてＸ方向に開封した後、引裂き方向がＹ方向に逸れた場合でも分岐部１１ｄ、１２ｄに合流する。したがって、分岐部１１ｄ、１２ｄを通って横延設部１１ａ、１２ａが確実に引裂かれる。
【００３７】
また、熱接着部１４から分岐部１１ｄ、１２ｄを含む所定の第１領域Ａで第１開封用切れ目１１と第２開封用切れ目１２とが重なり、第１領域Ａに連続する第２領域Ｂで第１開封用切れ目１１と第２開封用切れ目１２とが重ならない。これにより、横延設部１１ａ、１２ａ上を容易に引裂くことができる。
【００３８】
また、第１開封用切れ目１１と第２開封用切れ目１２とが重ならない領域を設けたことにより、包装袋１０の開封後、収納部１５の開封口は前面部１５ａと背面部１５ｂとで段差が生じる。このため、使用者は開封口の一方を手指で摘持し易くなり、内容物２０を容易に取り出すことができる。したがって、開封時の利便性が向上する。
【００３９】
また、第１開封用切れ目１１及び第２開封用切れ目１２が曲線状の屈曲部１１ｂ、１２ｂを介して略直交する２方向に延びる縦延設部１１ｃ、１２ｃと横延設部１１ａ、１２ａとを連接して形成することにより、包装袋１０は一度の開封動作でＸ方向からＹ方向に跨る大きな開封口を形成することができる。
【００４０】
また、屈曲部１１ｂ、１２ｂにおける曲率が第１開封用切れ目１１と第２開封用切れ目１２とで異なるため、屈曲部１１ｂ、１２ｂの開封口は前面部１５ａと背面部１５ｂとで段差が生じる。このため、使用者は屈曲部１１ｂ、１２ｂの一方を手指で摘持し易くなり、内容物２０を容易に取り出すことができる。したがって、開封時の利便性が向上する。
【００４１】
また、屈曲部１１ｂ、１２ｂの切込み６３ａは横延設部１１ａ、１２ａ及び縦延設部１１ｃ、１２ｃと比較して線幅が大きく形成されている。これにより、屈曲部１１ｂ、１２ｂは横延設部１１ａ、１２ａ及び縦延設部１１ｃ、１２ｃと比較して易引裂き性が高い。したがって、屈曲部１１ｂ、１２ｂにおいてＸ方向からＹ方向へ円滑に引裂き方向を変えることができる。これにより、横延設部１１ａ、１２の開封の勢いでＸ方向のみに包装袋１０が開封されるのを防止することができる。
【００４２】
また、熱接着性樹脂層６３は薬効成分に対して非吸着性を有するため、経皮吸収剤等の内容物２０に含まれる薬効成分の低下を防止して内容物２０の薬効が低下するのを防止することができる。
【００４３】
また、熱接着性樹脂層６３がポリアクリルニトリル、ポリエチレンテレフタレート、環状ポリオレフィンのいずれかから成ることにより、内容物２０の成分に対する非吸着性が向上する。
【００４４】
[第２実施形態]
図４は第２実施形態に係る包装袋１０の平面図である。説明の便宜上、前述の図１〜３に示す第１実施形態と同様の説明には同一の符号を付している。本実施形態の包装袋１０は第１開封用切れ目１１及び第２開封用切れ目１２が凹凸の位置が異なる波状に形成されている。これにより、開封口が波状に形成され、容易に前面部１５ａ及び背面部１５ｂに段差を形成することができる。
【符号の説明】
【００４５】
１０              包装袋
１１              第１開封用切れ目
１２              第２開封用切れ目
１１ａ、１２ａ    横延設部
１１ｂ、１２ｂ    屈曲部
１１ｃ、１２ｃ    縦延設部
１３              開封開始部
１４              熱接着部
１５              収納部
１５ａ            前面部
１５ｂ            背面部
２０              内容物
６０              積層フィルム
６１              基材層
６２              バリア層
６３              熱接着性樹脂層
６３ａ            切込み
６４、６５        接着層
【図１】
2015096426.tif 000003
【図２】
2015096426.tif 000004
【図３】
2015096426.tif 000005
【図４】
2015096426.tif 000006